(57)【要約】【課題】第１の電子機器を制御した第２の電子機器の電源の遮断、あるいは第２の電子機器が第１の電子機器を制御可能な認証状態から離脱した場合、映像の明るさや音声出力の音量の制御が可能な表示装置及び表示装置における出力制御方法を提供する。【解決手段】実施形態の表示装置は、設定受付手段と、設定変更手段と、を具備する。設定受付手段は、表示手段が表示するコンテンツに関連する設定内容の変更を、ネットワーを経由して指示する外部指示手段からの変更指示により受けつける。設定変更手段は、前記外部指示手段との間の認証が解消した場合、前記設定受付手段が受けつけた前記変更指示に対応して変更した前記コンテンツに関連する設定内容の変更を維持する。【選択図】図２
2015089007.tif 000002
【特許請求の範囲】
【請求項１】
表示手段が表示するコンテンツに関連する設定内容の変更を、ネットワーを経由して指示する外部指示手段からの変更指示により受けつける設定受付手段と、
前記外部指示手段との間の認証が解消した場合、前記設定受付手段が受けつけた前記変更指示に対応して変更した前記コンテンツに関連する設定内容の変更を維持する設定変更手段と、
を具備する表示装置。
【請求項２】
前記設定変更手段が維持する前記コンテンツに関連する設定内容の変更結果と、前記設定受付手段が前記変更指示を受けつける前の前記コンテンツに関連する設定内容と、を、前記表示手段に表示する表示制御手段をさらに具備する請求項１の表示装置。
【請求項３】
前記外部指示手段との間の認証を行う近距離通信処理手段をさらに具備する請求項１の表示装置。
【請求項４】
前記外部指示手段との間の認証を行う近距離通信処理手段をさらに具備する請求項２の表示装置。
【請求項５】
前記設定変更手段が維持する前記コンテンツに関連する設定内容の変更結果と、前記設定受付手段が前記変更指示を受けつける前の前記コンテンツに関連する設定内容と、を、前記表示手段に表示する表示制御手段をさらに具備する請求項３の表示装置。
【請求項６】
前記設定変更手段は、前記設定受付手段が受けつける前記変更指示が前記コンテンツに関連する設定内容の最初の設定範囲外である場合、前記変更指示の受けつけを保留する請求項１−５のいずれかの表示装置。
【請求項７】
前記設定変更手段は、前記設定受付手段が受けつける前記変更指示が前記コンテンツに関連する設定内容の最初の設定範囲外である場合、前記変更指示が前記コンテンツに関連する設定内容の最初の設定範囲外であることを報知し、前記外部指示手段による承認を求める請求項１−５のいずれかの表示装置。
【請求項８】
前記外部指示手段との間の認証は、ＤＩＡＬに準拠した通信及びデータの受け渡しを含む請求項１−７のいずれかの表示装置。
【請求項９】
表示手段が表示するコンテンツに関連する設定内容の変更を、ネットワーを経由して指示する外部指示手段からの変更指示により受けつけ、
外部指示手段との間の認証が解消した場合、受けつけた変更指示に対応して変更したコンテンツに関連する設定内容の変更を維持する
出力制御方法。
【発明の詳細な説明】
【技術分野】
【０００１】
この発明は、表示装置及び表示装置における出力制御方法に関する。
【背景技術】
【０００２】
電子機器相互間におけるコンテンツ（映像／音響／データ）の受け渡しと制御においては、さまざまな方法が提案され、実用化されている。
【０００３】
このため、コンテンツを再生中の第１の電子機器を、他のコンテンツを再生中の第２の電子機器により制御することも可能である。
【０００４】
例えば、コンテンツを再生中の第１の電子機器が表示する映像を他のコンテンツを再生中の第２の電子機器が再生中の映像に切り替え、音声出力の音量を第２の電子機器が再生中の映像に対応する音量に制御することも可能である。
【先行技術文献】
【特許文献】
【０００５】
【特許文献１】特開２０１３−２１６７３号公報
【特許文献２】特開平５−２３６３８７号公報
【発明の概要】
【発明が解決しようとする課題】
【０００６】
反面、第１の電子機器が表示する映像を第２の電子機器が再生中の映像に切り替え、音声出力の音量を第２の電子機器が再生中の映像に対応する音量で制御した以降において、第２の電子機器の電源が遮断され、あるいは第１の電子機器を制御可能なエリアから離脱した場合には、第１の電子機器が表示する映像が表示され、音声出力の音量が第１の電子機器の最初の設定（最初の音声出力の音量）に戻される。なお、表示映像の明るさ、等についても同様である。
【０００７】
この場合、第２の電子機器が再生中の映像の明るさと第１の電子機器が再生中の映像の明るさ（最初の設定）との相違や第２の電子機器が再生中の映像に対応する音声出力の音量と第１の電子機器が再生中の映像に対応する音声出力の音量（最初の音声出力の音量）との相違は、例えばユーザを驚かせるような急激な変化となる場合がある。
【０００８】
この発明の目的は、第１の電子機器を制御した第２の電子機器の電源の遮断、あるいは第２の電子機器が第１の電子機器を制御可能な認証状態から離脱した場合、映像の明るさや音声出力の音量の制御が可能な表示装置及び表示装置における出力制御方法を提供することである。
【課題を解決するための手段】
【０００９】
実施形態の表示装置は、設定受付手段と、設定変更手段と、を具備する。設定受付手段は、表示手段が表示するコンテンツに関連する設定内容の変更を、ネットワーを経由して指示する外部指示手段からの変更指示により受けつける。設定変更手段は、前記外部指示手段との間の認証が解消した場合、前記設定受付手段が受けつけた前記変更指示に対応して変更した前記コンテンツに関連する設定内容の変更を維持する。
【図面の簡単な説明】
【００１０】
【図１】実施形態に係る機器相互間の信号の受け渡しの一例を示す。
【図２】実施形態に係る機器相互間の信号の受け渡しの一例をソフトウエア的に示す。
【図３】実施形態に係る表示装置の表示画面の表示例の一例を示す。
【図４】実施形態に係る表示装置の表示画面の表示例の一例を示す。
【図５】実施形態に係る表示装置の表示画面の表示例の一例を示す。
【図６】実施形態に適用可能な電子機器の一例を示す。
【図７】実施形態に適用可能な電子機器の一例を示す。
【発明を実施するための形態】
【００１１】
以下、図面を参照して、本発明の実施の一形態について説明する。
【００１２】
図１は、第１の電子機器（テレビジョン受信装置）１０１と、第１の電子機器１０１と直接通信が可能な第２の電子機器（タブレット装置）２０１と、の間の通信及びデータの受け渡しの概念を示す。なお、第１の電子機器１０１と第２の電子機器２０１と間の通信及びデータの受け渡しは、例えば、ワイファイダイレクト（Wi-Fi Direct）あるいはブルートゥース（登録商標）／Bluetooth（登録商標）、等が代表的である近距離無線通信、もしくは同一のネットワーク（ホームネットワーク）内における通信及びデータの受け渡しに関して、２つの機器の制御プロトコルとして代表的なＤＩＡＬ（登録商標）／ダイアル（登録商標）、等が利用可能である。以下、第１の電子機器１０１と第２の電子機器２０１と間の通信及びデータの受け渡しについては、ＤＩＡＬを用いる例を示す。
【００１３】
第１の電子機器１０１は、図６に一例を示すが、例えば放送信号やコンテンツ（映像／音響）を再生するテレビジョン装置であり、第２の電子機器２０１は、図７に一例を示すが、携帯可能で、例えば主としてコンテンツ（映像／音響）を再生するタブレット装置である。なお、タブレット装置２０１は、個別の認証を必要とするが、複数（２台以上）であってもよい。また、第１の電子機器１０１は、例えばモニタ装置（ディスプレイ）と、同モニタ装置と接続するレコーダ装置の組み合わせ、等であってもよい。
【００１４】
図１に示すテレビジョン装置１０１とタブレット装置２０１は、それぞれ、ＤＩＡＬに準拠した通信及びデータの受け渡し（近距離無線通信）が可能であり、例えば電源がオンされている状態のテレビジョン装置１０１との間のホームネットワークの受信エリアに、タブレット装置２０１が移動する（タブレット装置２０１がホームネットワーク内に位置する）ことにより、相互に認証を行う。
【００１５】
相互間の認証（相互間の通信の確立）後、タブレット装置２０１を保持したユーザは、タブレット装置２０１の操作、例えばタブレット装置２０１が表示するボタンへのタッチ（ボタンのタップ）により、テレビジョン装置１０１が再生するコンテンツの再生条件のいくつかを設定（変更）できる。変更可能な再生条件は、例えば、コンテンツの再生時の音声出力の音量であり、テレビジョン装置１０１において、現在設定されている音声出力の音量を上限として、その範囲内での音量設定が可能である。
【００１６】
タブレット端末２０１は、ネットワーク（クラウドサービス）１からコンテンツを取得し、再生できる。
【００１７】
タブレット端末２０１が取得可能なコンテンツは、ネットワーク（クラウドサービス）１上のオンデマンド型コンテンツ提供元であるコンテンツサーバ３、例えばユーチューブ（YouTube）（登録商標）、等が提供する。なお、コンテンツサーバ３には、タブレット装置２０１からの変更可能な再生条件の変更を受けつけ、テレビジョン装置１０１に変更指示（設定値）、を送信する条件管理サーバ５が付属する。
【００１８】
タブレット装置２０１が再生する（一時停止中、等の状態を含む）コンテンツをテレビジョン装置１０１で再生する場合、テレビジョン装置１０１は、タブレット装置２０１から（タブレット装置２０１において再生中の）コンテンツの供給元のアドレスを、ネットワーク１から取得し、テレビジョン装置１０１が、ネットワーク１上のコンテンツ供給元から、直接、そのコンテンツを取得する。なお、ＤＩＡＬを用いることにより、タブレット装置２０１は、テレビジョン装置１０１との間のホームネットワーク内において、テレビジョン装置１０１に付属するリモコンのように、ふるまう（機能する）ことができる。すなわち、ＤＩＡＬを用いることにより、ホームネットワーク（同一のネットワーク）内に位置するテレビジョン装置１０１の動作のいくつかを、タブレット装置２０１により、直接、制御できる。すなわち、ＤＩＡＬを用いることにより、テレビジョン装置１０１が再生するコンテンツの再生条件のいくつかを設定（変更）できる。変更可能な再生条件は、例えば、コンテンツの再生時の音声出力の音量であり、テレビジョン装置１０１において、現在設定されている音声出力の音量を上限として、その範囲内での音量設定が可能である。
【００１９】
なお、ＤＩＡＬ機能の終了、すなわちテレビジョン装置１０１とタブレット装置２０１との間の相互の接続の解消は、例えばＤＩＡＬ機能切断コマンド、あるいはＤｅｌｅｔｅコマンドにて、終了できる。
【００２０】
また、ＤＩＡＬ機能の終了時には、図２により以下に説明するマスタボリューム（テレビジョン装置１０１が再生中のコンテンツの再生時の音声出力の音量）の値を保存し、ネットワーク１上のコンテンツ供給元から取得するコンテンツの再生時にタブレット装置２０１から指示に従い変更（設定）される音量設定に、テレビジョン装置１０１の音声出力の音量を変更する（マスタボリューム音量×％設定）。なお、変更後のマスタボリュームの値とＤＩＡＬ起動前のマスタボリュームの値を、テレビジョン装置１０１の表示画面に、２段階表示することにより、ユーザが音量調整の目安に確認できるようにすることが好ましい。
【００２１】
図２に、タブレット装置（第２の電子機器）２０１からテレビジョン装置（第１の電子機器）１０１の動作（コンテンツの再生時の音声出力の音量）を制御する例を示す。
【００２２】
図２に示すように、テレビジョン装置１０１が属するネットワーク（ホームネットワーク）内に、タブレット装置（外部制御機器）２０１が位置したことを検出する［０１］。
【００２３】
検出した外部制御機器（タブレット装置）２０１から音量設定（再生条件の変更）指示があった場合［０２−ＹＥＳ］、テレビジョン装置１０１の画面に、音量スケール（インジケータ）を表示する［０３］。同時に、あるいは所定のタイミングでテレビジョン装置１０１は、外部制御機器（タブレット装置）２０１から変更（設定）される音量設定に、自身の音声出力の音量を変更する［０４］。
【００２４】
なお、外部制御機器（タブレット装置）２０１がホームネットワークのエリア外に移動した場合、あるいはホームネットワークに何らかの障害が発生して外部制御機器との間の通信が不能となった場合、もしくは外部制御機器そのものの障害の発生（バッテリ残量の終了）、等の要因により、テレビジョン装置１０１との相互間の認証が失効した場合［０５−ＹＥＳ］、テレビジョン装置１０１は、自身のマスタボリュームの設定値（上限値）を、外部制御機器（タブレット装置）２０１から変更（設定）された音量設定に、変更する［０６］。
【００２５】
また、テレビジョン装置１０１は、自身のマスタボリュームの設定値をタブレット装置２０１から設定された音量設定に変更した以降において、所定時間経過後に、タブレット装置による変更（設定）指示を受けつける前の最初のマスタボリュームの設定値に、一定期間内に、徐々に移行する（当初の音声出力の音量に次第に戻す）ことが好ましい。
【００２６】
なお、図２では音声出力の音量を例に説明したが、例えば表示画面の明るさ（輝度）についても、同様の制御が可能である。すなわち、暗い画面を表示したコンテンツを再生中にタブレット装置２０１とテレビジョン装置１０１との間の認証が解消したような場合において、突然明るい画面表示に切り替わること、等を抑止できる。
【００２７】
図３〜図５に、タブレット装置（第２の電子機器）を用いるテレビジョン装置（第１の電子機器）の再生条件の変更時のテレビジョン装置の表示画面の表示例の一例を示す。
【００２８】
図３に、タブレット装置２０１からテレビジョン装置１０１の動作（コンテンツの再生時の音声出力の音量）を制御した場合のテレビジョン装置１０１が表示する画面表示の一例を示す。
【００２９】
図３に示すように、図２の［０２−ＹＥＳ］に従いタブレット装置２０１から音量設定（再生条件の変更）指示があった場合、テレビジョン装置１０１が表示する画面表示内の所定の位置に、第１及び第２の音量スケール（インジケータ）３１１及び３２１を表示する（図２の［０３］）。
【００３０】
第１の音量スケール３１１は、テレビジョン装置１０１に固有の音量設定（マスタボリューム）をフルスケールとし、タブレット装置２０１から音量設定指示があった時点の音量（ボリューム設定）値表示３１２を、フルスケール（スケール３１１の全長）に対する割合として表示する。なお、音量値表示３１２の表示は、フルスケール３１１に対する割合が明確となるよう（視認時に瞬時に大まかな設定値を認識できるよう）、フルスケール３１１と音量値３１２との間の区間の色を「０」に相当する音量値表示と音量値表示３１２との間の区間の色と、容易に識別可能とすることが好ましい。
【００３１】
第２の音量スケール３２１は、タブレット装置２０１から音量設定指示があった時点のテレビジョン装置１０１における音量（ボリューム設定）値３１２を「１００」とする表示であり、タブレット装置２０１から指示される音量設定に従い、「０」〜「１００」の間のパーセント（百分率）表示にて、タブレット装置２０１が指示した音量（ボリューム設定）を表示する。
【００３２】
なお、第１及び第２の音量スケールは、所定時間経過後、非表示となるように表示制御される。
【００３３】
図４は、図３が示す第２の音量スケール３２１の長さをフルスケールとし、タブレット装置２０１から指示した音量設定に基づいてテレビジョン装置１０１が出力する音声出力の音量の変化量の表示例を示す。第２の音量スケール３２１は、実際の設定値を示すスケール３２２として、音量スケール３２１の長さに対する割合として表示する。このとき、
第１の音量スケール３１１においては、第２の音量スケール３２１の実際の設定値を示すスケール３２２に対応する指示値表示３１３に変更される。
【００３４】
なお、タブレット装置２０１から指示される音量設定（指示値）が図３に示したマスタボリューム値３１２を超える音量である場合、図５に示すように、アラート画面表示５１１、実行ボタン５２１及び中止ボタン５３１を表示し、ユーザの選択（実行ボタン５２１のオン）があった場合にのみ、マスタボリューム値３１２を超える音量の設定を許可するものとする。
【００３５】
ところで、タブレット装置２０１により設定された音量にてコンテンツを再生中（音声出力の音量をタブレット装置２０１が設定した以降において）、タブレット装置２０１の電源が遮断され、あるいはホームネットワークに何らかの障害が発生してタブレット装置２０１とテレビジョン装置１０１との間の通信が不能となり、もしくはタブレット装置２０１がテレビジョン装置１０１を制御可能なエリアから離脱した場合（図２の［０５−ＹＥＳ］）には、再生中の映像に対応する音声出力の音量とテレビジョン装置１０１が再生中の映像に対応する音声出力の音量（最初の音声出力の音量）との相違により、急激な音量の変化が生じる場合がある。
【００３６】
このため、図２の［０６］により説明したように、タブレット装置２０１の電源が遮断され、あるいはホームネットワークに何らかの障害が発生してタブレット装置２０１とテレビジョン装置１０１との間の通信が不能となり、もしくはタブレット装置２０１がテレビジョン装置１０１を制御可能なエリアから離脱した場合には、テレビジョン装置１０１のマスタボリュームの設定値を、タブレット装置２０１から指示した音量設定に対応する指示値表示３１３に対応する大きさに変更する。
【００３７】
図６に、図１〜図５に示した第１の電子機器に好適なテレビジョン装置の要素の一例を示す。
【００３８】
図６に示す通り、テレビジョン装置（第１の電子機器）１０１は、入力部１１１、復調部１１２、信号処理部１１３、音声処理部１２１、映像処理部１３１、ＯＳＤ処理部１３２、表示処理部１３３、制御部１５０、ストレージ１６０、操作入力部１６１、受信部１６２、ネットワークコントローラ１７１及び近距離無線通信処理部１９０、等を備える。なお、近距離無線通信処理部１９０には、近距離無線通信通信部１９１が接続する。
【００３９】
テレビジョン装置１０１は、スピーカ１２２及びディスプレイ１３４を備える。また、テレビジョン装置１０１は、リモートコントローラ１６３からの制御入力（操作指示）を受けつけ、操作指示（制御入力）に対応する制御コマンドを、制御部１５０に供給する。
【００４０】
入力部１１１は、例えばアンテナＡＮＴを通じて受信可能なデジタル放送信号、例えば地上波放送信号、ＢＳ（Broadcasting Satellite）放送信号、及び／またはＣＳ（Communication Satellite）放送信号を受信することができる。入力部１１１はまた、例えばＳＴＢ（Set Top Box、例えば有料放送等に対応する外部チューナ、あるいはケーブル配信局が配信する放送を選局可能なチャンネルセレクタ）等を経由し、もしくは直接入力として供給されるコンテンツ（外部入力）を受け取ることができる。
【００４１】
入力部１１１は、受け取ったデジタル放送信号のチューニング（選局）を行う。入力部１１１は、チューニングしたデジタル放送信号を復調部１１２に供給する。なお、テレビジョン装置１０１は、複数の入力部（チューナ）１１１を備えていてもよい。その場合、テレビジョン装置１０１は、複数のデジタル放送信号／コンテンツを同時に受信することができる。なお、入力部１１１は、ＳＴＢ等を経由する外部入力については、そのまま、復調部１１２へ供給する。
【００４２】
復調部１１２は、選局されたデジタル放送信号／コンテンツを復調する。すなわち、復調部１１２は、デジタル放送信号／コンテンツからトランスポートストリーム（ＴＳ、Transport Stream）等の動画データ（以下ストリームと称する）を取得する。復調部１１２は、取得したストリームを信号処理部１１３に入力する。なお、テレビジョン装置１０１は、複数の復調部１１２を備えていてもよい。複数の復調部１１２は、複数のデジタル放送信号／コンテンツのそれぞれを、復調することができる。
【００４３】
信号処理部１１３は、復調部１１２が復調したストリームを、例えば音声成分と映像成分、及び文字情報やＥＰＧ（Electric Program Guide）向けのデータ成分に、分離する。すなわち、信号処理部１１３は、ストリームをデジタル映像信号、デジタル音声信号、及びその他のデータ信号、例えば上述のＥＰＧ向け成分の他に、データ放送と称する文字や符号からなるテキストデータ等を分離する。なお、信号処理部１１３は、複数の復調部１１２により復調された複数のストリームを分離することができる。
【００４４】
信号処理部１１３はまた、分離したデジタル音声信号を音声処理部１２１に供給する。信号処理部１１３はさらに、分離したデジタル映像信号を映像処理部１３１に供給する。また、信号処理部１１３は、制御部１５０に、ＥＰＧ（向け）データなどのデータ信号を供給する。
【００４５】
なお、信号処理部１１３は、制御部１５０の制御に基づいて、上記のストリームを録画可能な状態のデータ（録画ストリーム）に変換することができる。信号処理部１１３は、さらに、制御部１５０の制御に基づいて、録画ストリームをストレージ１６０または他のモジュールに供給することができる。
【００４６】
またさらに、信号処理部１１３は、ストリームのビットレートを、オリジナル（放送信号／コンテンツ）で設定されているビットレートから他のビットレートに変換（トランスコード）することができる。すなわち、信号処理部１１３は、取得した放送信号／コンテンツのオリジナルのビットレートを、オリジナルに比較して低いビットレートにトランスコード（変換）することができる。これにより、信号処理部１１３は、より容量の少ない状態でコンテンツ（番組）を録画させることができる。
【００４７】
音声処理部１２１は、信号処理部１１３から受信したデジタル音声信号を、スピーカ１２２により再生可能なフォーマットの信号（オーディオ信号）に変換する。すなわち、音声処理部１２１は、Ｄ／Ａ（Digital to Analog）変換部を含み、デジタル音声信号をアナログオーディオ（音響）／音声信号に変換する。音声処理部１２１は、変換したオーディオ（音響）／音声信号をスピーカ１２２に供給する。スピーカ１２２は、供給されるオーディオ（音響）／音声信号から、音声及び音響音を再生する。
【００４８】
映像処理部１３１は、信号処理部１１３からのデジタル映像信号を、ディスプレイ１３４で再生可能なフォーマットの映像信号に変換する。すなわち、映像処理部１３１は、信号処理部１１３から受信したデジタル映像信号を、ディスプレイ１３４で再生可能なフォーマットの映像信号にデコードする。映像処理部１３１は、デコードした映像信号を表示処理部１３３に出力する。
【００４９】
ＯＳＤ処理部１３２は、信号処理部１１３から供給されるデータ信号及びまたは制御部１５０から供給される制御信号（制御コマンド）に基づいて、例えばＧＵＩ（Graphical User Interface）表示、字幕表示、時刻表示、等を、映像処理部１３１からの表示信号に重畳して表示するためのＯＳＤ（On Screen Display）信号を生成する。
【００５０】
表示処理部１３３は、例えば制御部１５０からの制御に基づいて、受信した映像信号に、例えば色味、明るさ、シャープ、コントラスト及びその他の画質調整処理を行う。表示処理部１３３は、画質調整を施した映像信号をディスプレイ１３４に供給する。従い、ディスプレイ１３４は、供給される映像信号に基づいて映像を表示する。
【００５１】
表示処理部１３３はまた、画質調整処理後の上述の映像処理部１３１からの表示信号とＯＳＤ処理部１３２からのＯＳＤ信号とを重畳し、ディスプレイ１３４に供給する。
【００５２】
ディスプレイ１３４は、例えばマトリクス状に配列された複数の画素を備える液晶表示パネルと、この液晶パネルを照明するバックライトとを備える液晶表示装置、等を含む。ディスプレイ１３４は、表示処理部１３３から供給される映像信号に基づいて映像を表示する。
【００５３】
なお、テレビジョン装置１０１は、ディスプレイ１３４の代わりに、映像信号を出力する出力端子を備える構成であってもよい。また、テレビジョン装置１０１は、スピーカ１２２の代わりに、オーディオ信号を出力する出力端子を備える構成であってもよい。また、テレビジョン装置１０１は、デジタル映像信号とデジタル音声信号とを出力する出力端子を備える構成であってもよい。
【００５４】
制御部１５０は、テレビジョン装置１０１の各部の動作を制御する。制御部１５０は、ＣＰＵ（Central Processing Unit）１５１、ＲＯＭ（読み出し専用メモリ）１５２、ＲＡＭ（Random Access Memory）１５３、及びＥＥＰＲＯＭ（不揮発性メモリ）１５４、等を含む。制御部１５０はまた、操作入力部１６１から供給される操作信号に基づいて、種々の処理を行う。また、制御部１５０は、近距離無線通信処理部１９０が近距離無線通信通信部１９１を通じて取得するタブレット装置２０１の操作に基づいてテレビジョン装置１０１が再生するコンテンツの再生条件のいくつかを設定（変更）できる。また、タブレット装置２０１の電源が遮断され、あるいはホームネットワークに何らかの障害が発生してタブレット装置２０１とテレビジョン装置１０１との間の通信が不能となり、もしくはタブレット装置２０１がテレビジョン装置１０１を制御可能なエリアから離脱した場合に、テレビジョン装置１０１のマスタボリュームの設定値を、タブレット装置２０１から指示した音量設定に対応する指示値表示３１３に対応する大きさに変更する。なお、再生条件のいくつかの設定（変更）は、以下に説明するＣＰＵ１５１が受け持つ場合もある。
【００５５】
ＣＰＵ１５１は、種々の演算処理を実行する演算素子などを備える。ＣＰＵ１５１は、ＲＯＭ１５２、またはＥＥＰＲＯＭ１５４等が保持するプログラムを実行することにより種々の機能を実現する。
【００５６】
ＲＯＭ１５２は、テレビジョン装置１０１を制御するためのプログラム、及び各種の機能を実現するためのプログラムなどを保持する。ＣＰＵ１５１は、操作入力部１６１から供給される操作信号に基づいて、ＲＯＭ１５２に記憶されているプログラムを起動する。これにより、制御部１５０は、各部の動作を制御する。
【００５７】
ＲＡＭ１５３は、ＣＰＵ１５１のワークメモリとして機能する。すなわち、ＲＡＭ１５３は、ＣＰＵ１５１の演算結果やＣＰＵ１５１により読み込まれたデータ等を記憶する。
【００５８】
ＥＥＰＲＯＭ１５４は、各種の設定情報及びプログラム等を記憶する不揮発性メモリである。なお、必要に応じて（制御部１５０の制御に従い）近距離無線通信処理部１９０が認証したクライアント機器の情報を保持する。
【００５９】
ストレージ１６０は、コンテンツを記憶する記憶媒体を有する。ストレージ１６０は、例えばハードディスクドライブ（ＨＤＤ）、ＳＳＤ（Solid State Drive）、もしくは半導体メモリなどである。ストレージ１６０は、信号処理部１１３からの供給された録画ストリームやテキストデータなどを記憶することができる。
【００６０】
操作入力部１６１は、例えばユーザによる操作入力に対応して操作信号を生成する操作キーを含む。また、操作入力部１６１は、キーボード、マウス、または操作信号を生成することができる他の入力装置などから操作信号を受け取る構成であってもよい。操作入力部１６１は、操作信号を制御部１５０に供給する。
【００６１】
なお、テレビジョン装置１０１のディスプレイ１３４は、操作入力部１６１の一部の機能を実現可能なタッチパネル機能を備える構成であってもよい。
【００６２】
受信部１６２は、例えば赤外線（Ｉｒ）方式により供給されるリモートコントローラ１６３からの操作信号を受信するセンサ等を備える。受信部１６２は、受信した信号を制御部１５０に供給する。制御部１５０は、受信部１６２から供給された信号を受信し、受信した信号を増幅したのちＡ／Ｄ（Analog to Digital）変換を行うことにより、リモコン１６３から送信された元の操作信号を復号する。
【００６３】
リモートコントローラ１６３は、ユーザの操作入力に基づいて操作信号を生成する。リモートコントローラ１６３は、生成した操作信号を赤外線通信により受信部１６２に送信する。なお、受信部１６２及びリモートコントローラ１６３は、電波（ＲＦ）、等の他の無線通信により操作信号の送受信を行う構成であってもよい。
【００６４】
ネットワークコントローラ１７１は、例えばＬＡＮ（Local Area Network）あるいは無線ＬＡＮにより接続可能なインターネット（ネットワーク）１と接続し、ネットワーク１上の他の機器と通信を行なうことができる。これにより、テレビジョン装置１０１は、ネットワーク１を経由して接続可能な任意の機器及びコンテンツ供給元あるいは種々のデータサーバとの間の情報の受け渡しが可能である。これにより、テレビジョン装置１０１は、ネットワークコントローラ１７１を経由して接続するコンテンツ供給元やデータサーバ、もしくは家庭内を含む任意の機器が保持するコンテンツ（ストリーム）を取得し、再生することができる。
【００６５】
ＨＤＭＩ処理部１８１は、ＨＤＭＩ（登録商標）規格（すなわちＨＤＭＩ(High Definition Multimedia Interface)）に従い、制御信号及び映像（Video）データと音声（音響／Audio）データの受け渡しを行う。ＨＤＭＩ処理部１８１は、ＨＤＭＩ端子を備える外部機器または大容量メモリ（外付けＨＤＤ）等との間で、映像及び音声を含むコンテンツ（ストリーム）の送信と受信が可能である。外部機器としては、例えばブルーレイ（登録商標）レコーダ、ＤＶＤ（Digital Versatile Disk）レコーダ、ハードディスク（ＨＤＤ）レコーダ、または他の機器とＨＤＭＩ規格に対応した機器（ＨＤＭＩ機器）、あるいはＮＡＳ（Network Attached Storage）等、がある。なお、テレビジョン装置１０１は、例えばＳｅｒｉａｌ−ＡＴＡ（Serial-Advanced Technology Attachment）やＨＤＭＩ−ＨＥＣ（HDMI Ethernet Channel）（登録商標）との接続が可能なＬＡＮ端子、等の他のインタフェースを備えることができる。
【００６６】
近距離無線通信処理部１９０は、近距離無線通信通信部１９１を介して接続するタブレット装置（第２の電子機器）２０１との間のデータの受け渡しや相互認証及びデータの処理を受け持つ。なお、近距離無線通信通信部１９１及び近距離無線通信処理部１９０は、図６では、ネットワークコントローラ１７１と独立に設けた例を示しているが、ネットワークコントローラ１７１と一体（もしくは一部が共用されるよう）に形成されてもよい。
【００６７】
図７に、図１〜図５に示した第２の電子機器に好適なタブレット装置の要素の一例を示す。
【００６８】
図７に示すタブレット装置２０１は、制御部２５０、操作入力部２６４、通信部２７１、近距離無線通信処理部２７３及び記憶装置２７４を備える。タブレット装置２０１はまた、スピーカ２２２、マイク２２３、ディスプレイ２３４、（ディスプレイ２３４と一体の）タッチセンサ２３５を備える。
【００６９】
制御部２５０は、タブレット装置２０１の各部の動作を制御する。制御部２５０は、ＣＰＵ２５１、ＲＯＭ２５２、ＲＡＭ２５３、及び不揮発性メモリ２５４等を含む。
【００７０】
制御部２５０は、操作入力部２６４、またはタッチセンサ２３５から供給される操作信号に基づいて種々の処理を行う。制御部２５０はまた、近距離無線通信処理部２７３を通じてテレビジョン装置１０１から供給される制御コマンドに対応する各部の制御やアプリケーションの起動及びそのアプリケーションが提供する処理（機能の実行）を行う（ＣＰＵ２５１が受け持つ場合がある）。
【００７１】
ＣＰＵ２５１は、種々の演算処理を実行する。ＣＰＵ２５１はまた、ＲＯＭ２５２、あるいは不揮発性メモリ２５４、等が保持するプログラムを実行することにより種々の機能を実現する。
【００７２】
また、ＣＰＵ２５１は、記憶装置２７４に格納されているアプリケーション（プログラム）が提供する処理（機能）を実行することができる。ＣＰＵ２５１はまた、近距離無線通信処理部２７３を通じてテレビジョン装置１０１供給される制御コマンドに対応する各部の制御や、アプリケーション（プログラム）の起動及びそのアプリケーション（プログラム）が提供する処理（機能の実行）を行う。
【００７３】
ＲＯＭ２５２は、テレビジョン装置１０１を制御するためのプログラム、及び各種の機能を実現するためのプログラム等を保持する。ＣＰＵ２５１は、操作入力部２６４からの操作信号に基づいて、ＲＯＭ２５２に記憶されているプログラムを起動する。これにより、制御部２５０は、各部の動作を制御する。
【００７４】
ＲＡＭ２５３は、ＣＰＵ２５１のワークメモリとして機能する。すなわち、ＲＡＭ２５３は、ＣＰＵ２５１による演算結果、ＣＰＵ２５１を介して読み込まれたデータ、近距離無線通信処理部２７３によるテレビジョン装置１０１との間の認証に必要なデータ、等を記憶する。
【００７５】
不揮発性メモリ２５４は、各種の設定情報、プログラム、近距離無線通信処理部２７３によるテレビジョン装置１０１との間の認証結果及びテレビジョン装置１０１が割り当てるＩＰアドレス等を記憶する。
【００７６】
また、制御部２５０は、ＣＰＵ２５１が実行しているアプリケーションに応じて、種々の画面表示を表示するための表示用の映像信号を生成し、ディスプレイ２３４に表示させることができる。従い、ディスプレイ２３４は、供給される動画信号（Video）に基づいて、動画（グラフィック）や静止画もしくは文字情報、等を再生する。制御部２５０はまた、ＣＰＵ２５１が実行しているアプリケーションに応じて、種々の音声などの再生用の音声信号を生成し、スピーカ２２２により出力させることができる。従い、スピーカ２２２は、供給されるオーディオ信号（Audio）に基づいて音（音響／音声）を再生する。
【００７７】
マイク２２３は、タブレット装置２０１の周囲の音を集音し、音響信号を生成する。音響信号は、Ａ／Ｄ変換後、制御部２５０により音響データに変換され、ＲＡＭ２５３において一時的に保持される。音響データは、必要に応じ、Ｄ／Ａ変換後、スピーカ２２２により音声／音響音に変換される（再生される）。音響データはまた、Ａ／Ｄ変換後、音声認識処理により制御コマンドとして、利用される。
【００７８】
ディスプレイ２３４は、例えばマトリクス状に配列された複数の画素を備える液晶表示パネルと、この液晶パネルを照明するバックライトとを備える液晶表示装置等を含む。
【００７９】
タッチセンサ２３５は、ディスプレイ２３４に表示されている画面上での操作（画面表示に対応するユーザ入力）に基づいて操作信号を生成し、制御部２５０に供給する。
【００８０】
操作入力部２６４は、例えばユーザによる操作入力に応じて操作信号を生成するキーを備える。操作入力部２６４は、例えば音量を調整するための音量調整キー、ディスプレイ２３４の表示輝度を調整するための輝度調整キー、及びタブレット装置２０１の電源状態を切り替える（オン／オフする）ための電源キー等を備える。操作入力部２６４はまた、キーボード、マウスまたは操作信号を生成する事ができる他の入力装置などから操作信号を受け取る構成であってもよい。例えば、タブレット装置２０１がＵＳＢ端子やＢｌｕｅｔｏｏｔｈ（登録商標）のモジュールなどを備えている場合、操作入力部２６４は、ＵＳＢまたはＢｌｕｅｔｏｏｔｈにより接続された入力装置から操作信号を受け取り、制御部２５０に供給する。
【００８１】
通信部２７１は、ＬＡＮまたは無線ＬＡＮにより、ネットワーク１上の他の機器と通信を行なうことができる。これにより、タブレット装置２０１は、ネットワーク１を経由して接続するコンテンツ供給元やデータサーバ、もしくは家庭内を含む任意の機器が保持するコンテンツ（ストリーム）を取得し、再生することができる。
【００８２】
近距離無線通信処理部２７３は、テレビジョン装置１０１の近距離無線通信通信部１９１を通じた（テレビジョン装置１０１の）近距離無線通信処理部１９０との間のデータの受け渡しやテレビジョン装置１０１との間の相互認証及びデータの処理を受け持つ。すなわち、タブレット装置２０１は、近距離無線通信に準拠する相互通信により、例えばテレビジョン装置１０１（のストレージ１６０）が保持するコンテンツを再生することができる。また、例えばタブレット装置２０１が保持するデータをテレビジョン装置１０１において再生可能となる。なお、近距離無線通信処理部２７３は、図７では、通信部２７１と独立に設けた例を示しているが、通信部２７１と一体（もしくは一部が共用されるよう）に形成されてもよい。
【００８３】
電源部２９０は、バッテリ（充電池）２９２と、商用電源などから電力を受け取るアダプタと接続するための端子（例えばＤＣジャック）と、を備える。電源部２９０は、商用電源から受け取った電力によりバッテリ２９２を充電する。また、電源部２９０は、バッテリ２９２に充電されている電力をタブレット装置２０１の各部へ供給する。
【００８４】
記憶装置２７４は、ハードディスクドライブ（ＨＤＤ）、ソリッドステートドライブ（ＳＳＤ）、または半導体メモリ等を含む。記憶装置２７４は、制御部２５０のＣＰＵ２５１により実行されるプログラム、アプリケーション、動画などのコンテンツ、及び種々のデータなどを記憶することができる。
【００８５】
なお、電子機器１０１は、例えばユーザインタフェース、通信機能、放送を受信する機能、受信した放送すなわち番組を処理する処理機能、番組を出力する番組出力機能、もしくは記憶機能等を備えるデバイスであれば、どのようなデバイスであってもよい。デバイスの一例としては、デジタルレコーダ等が挙げられる。また、放送を受信する機能を有するパーソナルコンピュータ（ＰＣ）、放送受信装置を有する映像記録装置等と接続する映像表示装置（モニタ装置）、あるいは放送受信機能を有する携帯可能端末装置等への適用が可能である。なお、放送は、空間を伝播する電波として放送事業者（放送局）が提供するもの、あるいはケーブルやＩＰ（インターネット・プロトコル）網等のネットワークにより配信事業者が配信するもの等、を含む。また、放送は、映像と音声および／または音楽等を含み、一定の時間（放送時間）を単位とする番組を、連続して、あるいは一定期間（時間）提供する。なお、番組は、コンテンツもしくはストリームと呼称する場合もある。また、映像は、動画と静止画あるいは、テキスト（コード化された符号列で示される文字や記号等で表される情報）、ならびにその任意の組み合わせを含む。
【００８６】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【図１】
2015089007.tif 000003
【図２】
2015089007.tif 000004
【図３】
2015089007.tif 000005
【図４】
2015089007.tif 000006
【図５】
2015089007.tif 000007
【図６】
2015089007.tif 000008
【図７】
2015089007.tif 000009